(57)【要約】【課題】通信装置の接続要求に応じて同通信装置の通信制御を可能にする第一通信制御装置及び第二通信制御装置の内、運用中の第一通信制御装置の運用停止によって、第二通信制御装置に運用が切り替わった場合でも、通信中の通信装置が強制的に切断されることがない通信制御システムを提供する。【解決手段】マスタＩＰ交換機３及びスレーブＩＰ交換機４の内、運用中のマスタＩＰ交換機３は、内線端末９の呼状態を検出する呼状態検出部１０１と、呼状態に対応した呼情報を、内線端末を収容する回線制御装置１３に通知する呼情報通知部１０２とを有し、回線制御装置１３は、マスタＩＰ交換機から内線端末９の呼情報を検出すると、呼情報を記憶する呼情報メモリ６Ａと、マスタＩＰ交換機３の運用停止を検出すると、呼情報メモリに記憶中の呼情報を運用開始のスレーブＩＰ交換機４に通知する呼情報転送部６Ｂとを有している。【選択図】図１
2008245077.tif 000002
【特許請求の範囲】
【請求項１】
通信装置と、この通信装置の接続要求に応じて同通信装置の通信制御を可能にする第一通信制御装置及び第二通信制御装置とを有し、前記第一通信制御装置は、前記通信装置の通信制御に関わる運用を実行すると共に、前記第二通信制御装置は、前記第一通信制御装置の運用停止を検出すると、前記通信装置の通信制御に関わる運用を開始する通信制御システムであって、
前記第一通信制御装置及び第二通信制御装置の内、運用中の通信制御装置は、
前記通信制御に関わる前記通信装置の通信状態を検出する通信状態検出手段と、
この通信状態検出手段にて前記通信装置の通信状態を検出すると、この通信装置の通信状態に関わる状態情報を前記通信装置に通知する通信状態情報通知手段とを有し、
前記通信装置は、
前記通信状態情報通知手段からの状態情報を検出すると、この状態情報を記憶する記憶手段と、
前記第一通信制御装置の運用停止を検出すると、前記記憶手段に記憶中の状態情報を前記第二通信制御装置に通知する状態情報通知手段とを有することを特徴とする通信制御システム。
【請求項２】
前記第一通信制御装置及び第二通信制御装置の運用停止を検出すると、この運用停止にかかわらず通信可能な通信装置の通信制御に関わる運用を開始する第三通信制御装置を有し、
前記通信装置の前記状態情報通知手段は、
前記第二通信制御装置の運用停止を検出すると、前記記憶手段に記憶中の状態情報を前記第三通信制御装置に通知することを特徴とする請求項１記載の通信制御システム。
【請求項３】
前記通信装置は、
通信端末と、この通信端末を制御する通信端末制御装置とを有し、
前記運用中の通信制御装置の前記通信状態情報通知手段は、
前記通信状態検出手段にて前記通信制御に関わる前記通信装置内の前記通信端末の通信状態を検出すると、この通信端末の通信状態に関わる状態情報を、同通信端末を収容する前記通信装置内の通信端末制御装置に通知すると共に、
前記通信装置内の通信端末制御装置は、
前記通信状態情報通知手段からの前記通信端末に関わる状態情報を検出すると、この状態情報を前記記憶手段に記憶し、前記第一通信制御装置の運用停止を検出すると、前記状態情報通知手段を通じて、前記記憶手段に記憶中の状態情報を前記第二通信制御装置に通知することを特徴とする請求項１記載の通信制御システム。
【請求項４】
前記通信装置は、
通信端末と、この通信端末を制御する通信端末制御装置とを有し、
前記運用中の通信制御装置の前記通信状態情報通知手段は、
前記通信状態検出手段にて前記通信制御に関わる前記通信装置内の前記通信端末の通信状態を検出すると、この通信端末の通信状態に関わる状態情報を、同通信端末を収容する前記通信装置内の通信端末制御装置に通知すると共に、
前記通信装置内の通信端末制御装置は、
前記通信状態情報通知手段からの前記通信端末に関わる状態情報を検出すると、この状態情報を前記記憶手段に記憶し、前記第二通信制御装置の運用停止を検出すると、前記状態情報通知手段を通じて、前記記憶手段に記憶中の状態情報を前記第三通信制御装置に通知することを特徴とする請求項２記載の通信制御システム。
【請求項５】
前記第二通信制御装置は、
前記第一通信制御装置の運用停止を検出して、前記通信装置の通信制御に関わる運用を開始する際に、前記通信装置の前記状態情報通知手段から前記状態情報を検出すると、この状態情報を管理すると共に、この状態情報の内、通信中状態の前記通信端末がある場合、同通信端末からの通信切断要求を検出するまで同通信端末に対する通信制御に関わる運用を停止することを特徴とする請求項３記載の通信制御システム。
【請求項６】
前記第三通信制御装置は、
前記第二通信制御装置の運用停止を検出して、前記通信装置の通信制御に関わる運用を開始する際に、前記通信装置の前記状態情報通知手段から前記状態情報を検出すると、この状態情報を管理すると共に、この状態情報の内、通信中状態の前記通信端末がある場合、同通信端末からの通信切断要求を検出するまで同通信端末に対する通信制御に関わる運用を停止することを特徴とする請求項４記載の通信制御システム。
【請求項７】
前記第二通信制御装置は、
前記第一通信制御装置の運用停止を検出して、前記通信装置の通信制御に関わる運用を開始する際に、前記通信装置の前記状態情報通知手段から前記状態情報を検出すると、この状態情報を管理すると共に、この状態情報の内、前記通信中状態以外の前記通信端末がある場合、同通信端末を切断して通信制御に関わる運用を開始することを特徴とする請求項５記載の通信制御システム。
【請求項８】
前記第三通信制御装置は、
前記第二通信制御装置の運用停止を検出して、前記通信装置の通信制御に関わる運用を開始する際に、前記通信装置の前記状態情報通知手段から前記状態情報を検出すると、この状態情報を管理すると共に、この状態情報の内、前記通信中状態以外の前記通信端末がある場合、同通信端末を切断して通信制御に関わる運用を開始することを特徴とする請求項６記載の通信制御システム。
【請求項９】
前記運用中の通信制御装置の前記通信状態情報通知手段は、
前記通信状態検出手段にて検出された前記通信制御に関わる前記通信装置の通信状態の中で、前記通信装置の通信中状態及び、前記通信制御に関わる運用切替に際して前記通信装置が通信の切断に必要な最小限の通信状態に関わる状態情報を前記通信装置に通知することを特徴とする請求項１，２，３，４，５，６，７又は８記載の通信制御システム。
【請求項１０】
前記運用中の通信制御装置の前記通信状態情報通知手段は、
前記通信状態検出手段にて前記通信装置内の各通信端末における通信制御の発生を検出すると、この通信制御の発生に関わる各通信端末の状態情報を、同通信端末を収容する前記通信装置に通知し、
前記通信端末制御装置は、
前記通信状態情報通知手段にて通知された各通信端末の状態情報を前記記憶手段に記憶することを特徴とする請求項３，４，５，６，７，８又は９記載の通信制御システム。
【発明の詳細な説明】
【技術分野】
【０００１】
本発明は、例えばＩＰ端末等の通信装置と、この通信装置の接続要求に応じて同通信装置の通信制御を可能にする、例えばマスタＩＰ交換機等の第一通信制御装置及び、例えばスレーブＩＰ交換機等の第二通信制御装置とを有し、前記第一通信制御装置は、前記通信装置の通信制御に関わる運用を実行すると共に、前記第二通信制御装置は、前記第一通信制御装置の運用停止を検出すると、前記通信装置の通信制御に関わる運用を開始する通信制御システムに関するものである。
【背景技術】
【０００２】
従来の通信制御システムとして、例えば、ある提案の交換装置において、交換機は、ＩＰ交換機である呼制御装置（ＴＭ部）と回線収容部（ＴＵ部）とで構成し、ＴＵ部は公衆交換網（ＰＳＴＮ）と接続し、複数のアナログ端末（電話機）及び複数のＬＡＮ通信用のＨＵＢを収容している。また、交換機は、ル−タを介してパケット網と接続している。ＴＭ部及びＩＰ端末間は、ＬＡＮで接続し、音声信号、メール及び各種情報（電話番号、ＩＰアドレス、メールアドレス等）をＩＰパケットで伝送する。ＴＵ部は、ＴＭ部のＩＰ呼制御部（ＳＣ部）の制御のもとに、内線電話機やＰＳＴＮをパケット網であるＬＡＮやパケット網に接続可能である。これにより、パケット網に接続可能で、アナログ電話機を用いないＬＡＮのようなパケット網のみのシステム構成にも対応し、パケット網と既存の公衆交換網を融合したアナログ電話機を用い得るようなハイブリットシステムにも最低限の設備で容易に対応可能としている（例えば特許文献１参照）。
【０００３】
しかしながら、上記特許文献１においては、例えばＩＰ呼制御部（ＳＣ部）に収容される多数のＩＰ端末を１つの拠点としてＩＰ交換機が運用した場合、ＩＰ交換機の故障や回線の障害が発生すると、拠点内の全てのＩＰ端末が運用できなくなる虞があり、拠点内を地域の支社や営業所にした場合には、営業活動に支障をきたすという課題があった。
【０００４】
そこで、他の従来の通信制御システムとして、例えば、ある提案のＩＰ電話システムにおいては、回線を介して拠点毎に複数のＩＰ端末を収容し、呼制御を行う複数の信号制御装置を備えたＩＰ交換機と、ＩＰ交換機の障害時又は回線の障害時に、拠点内における複数のＩＰ端末の内線通話をバックアップするバックアップ交換機とを備えた構成になっている。
【０００５】
また、ＩＰ交換機の全体動作を制御する主制御装置は、２重化構造であり、運用系の主制御装置と待機系の主制御装置とで構成し、これら２系統の主制御装置同士は、それぞれのバスを介して複数の信号制御装置に接続されている。待機系の主制御装置は、常時、運用系の主制御装置を監視し、運用系の主制御装置が故障した際には、待機系から運用系に切り替わって、複数の信号制御装置を制御するものである。
【０００６】
このようなＩＰ電話システムのバックアップ交換機では、拠点内の複数のＩＰ端末を収容する信号制御装置との間で疎通確認を行い、信号制御装置からの疎通確認が受信できない場合に、ＩＰ交換機の障害又は回線の障害の発生と判断し、待機状態から運用状態に切り替えるものである（例えば、特許文献２参照）。
【特許文献１】特開２００４−２２９１１２号公報（要約書及び図１参照）
【特許文献２】特開２００６−２５４０９６号公報（要約書及び図１参照）
【発明の開示】
【発明が解決しようとする課題】
【０００７】
しかしながら、上記特許文献２におけるＩＰ電話システムにおいては、拠点内のＩＰ端末が通話中に、運用中のＩＰ交換機の障害又は回線の障害によって、バックアップ交換機に運用が切り替わると、通信装置であるＩＰ端末の通話が強制的に切断されてしまうという課題があった。
【０００８】
そこで、本発明は上記点に鑑みてなされたものであり、その目的とするところは、第一通信制御装置の障害又は回線の障害によって運用停止を検出したとしても、通信中の通信装置に関わる通信の強制切断を防止することができる通信制御システムを提供することにある。
【課題を解決するための手段】
【０００９】
上記目的を達成するために本発明の通信制御システムは、通信装置と、この通信装置の接続要求に応じて同通信装置の通信制御を可能にする第一通信制御装置及び第二通信制御装置とを有し、前記第一通信制御装置は、前記通信装置の通信制御に関わる運用を実行すると共に、前記第二通信制御装置は、前記第一通信制御装置の運用停止を検出すると、前記通信装置の通信制御に関わる運用を開始する通信制御システムであって、前記第一通信制御装置及び第二通信制御装置の内、運用中の通信制御装置は、前記通信制御に関わる前記通信装置の通信状態を検出する通信状態検出手段と、この通信状態検出手段にて前記通信装置の通信状態を検出すると、この通信装置の通信状態に関わる状態情報を前記通信装置に通知する通信状態情報通知手段とを有し、前記通信装置は、前記通信状態情報通知手段からの状態情報を検出すると、この状態情報を記憶する記憶手段と、前記第一通信制御装置の運用停止を検出すると、前記記憶手段に記憶中の状態情報を前記第二通信制御装置に通知する状態情報通知手段とを有するようにした。
【００１０】
従って、本発明の通信制御システムによれば、運用中の第一通信制御装置が、前記通信制御に関わる前記通信装置の通信状態を検出すると、この通信装置の通信状態に関わる状態情報を前記通信装置に通知すると共に、前記通信装置は、前記運用中の第一通信制御装置からの状態情報を検出すると、この状態情報を記憶手段に記憶し、前記第一通信制御装置の運用停止を検出すると、前記記憶手段に記憶中の状態情報を前記第二通信制御装置に通知するようにしたので、この第二通信制御装置側では、第一通信制御装置の運用停止を検出して運用を開始するに際して、通信装置側の状態情報を認識することができるため、通信中の通信装置に関わる通信の強制切断を防止することができる。
【００１１】
また、本発明の通信制御システムは、前記第一通信制御装置及び第二通信制御装置の運用停止を検出すると、この運用停止にかかわらず通信可能な通信装置の通信制御に関わる運用を開始する第三通信制御装置を有し、前記通信装置の前記状態情報通知手段は、前記第二通信制御装置の運用停止を検出すると、前記記憶手段に記憶中の状態情報を前記第三通信制御装置に通知するようにした。
【００１２】
従って、本発明の通信制御システムによれば、前記第一通信制御装置及び第二通信制御装置の運用停止を検出すると、この運用停止にかかわらず通信可能な通信装置の通信制御に関わる運用を開始する第三通信制御装置を備え、前記通信装置は、前記第二通信制御装置の運用停止を検出すると、前記記憶手段に記憶中の状態情報を前記第三通信制御装置に通知するようにしたので、前記第一通信制御装置及び第二通信制御装置が運用停止に陥った場合でも、第三通信制御装置を通じて、全ての通信装置が通信不能になる事態を回避することができる。
【００１３】
また、本発明の通信制御システムは、前記通信装置が、通信端末と、この通信端末を制御する通信端末制御装置とを有し、前記運用中の通信制御装置の前記通信状態情報通知手段は、前記通信状態検出手段にて前記通信制御に関わる前記通信装置内の前記通信端末の通信状態を検出すると、この通信端末の通信状態に関わる状態情報を、同通信端末を収容する前記通信装置内の通信端末制御装置に通知すると共に、前記通信装置内の通信端末制御装置は、前記通信状態情報通知手段からの前記通信端末に関わる状態情報を検出すると、この状態情報を前記記憶手段に記憶し、前記第一通信制御装置の運用停止を検出すると、前記状態情報通知手段を通じて、前記記憶手段に記憶中の状態情報を前記第二通信制御装置に通知するようにした。
【００１４】
従って、本発明の通信制御システムによれば、前記運用中の通信制御装置が、前記通信制御に関わる前記通信装置内の通信端末の通信状態を検出すると、この通信端末の通信状態に関わる状態情報を、同通信端末を収容する前記通信装置内の通信端末制御装置に通知すると共に、前記通信装置内の通信端末制御装置は、前記通信端末に関わる状態情報を検出すると、この状態情報を前記記憶手段に記憶し、前記第一通信制御装置の運用停止を検出すると、前記記憶手段に記憶中の状態情報を前記第二通信制御装置に通知するようにしたので、この第二通信制御装置側では、第一通信制御装置の運用停止を検出して運用を開始するに際して、通信装置側の状態情報を認識することができるため、通信中の通信端末に関わる通信の強制切断を防止することができる。
【００１５】
また、本発明の通信制御システムは、前記通信装置が、通信端末と、この通信端末を制御する通信端末制御装置とを有し、前記運用中の通信制御装置の前記通信状態情報通知手段は、前記通信状態検出手段にて前記通信制御に関わる前記通信装置内の前記通信端末の通信状態を検出すると、この通信端末の通信状態に関わる状態情報を、同通信端末を収容する前記通信装置内の通信端末制御装置に通知すると共に、前記通信装置内の通信端末制御装置は、前記通信状態情報通知手段からの前記通信端末に関わる状態情報を検出すると、この状態情報を前記記憶手段に記憶し、前記第二通信制御装置の運用停止を検出すると、前記状態情報通知手段を通じて、前記記憶手段に記憶中の状態情報を前記第三通信制御装置に通知するようにした。
【００１６】
従って、本発明の通信制御システムによれば、前記運用中の通信制御装置が、前記通信制御に関わる前記通信装置内の通信端末の通信状態を検出すると、この通信端末の通信状態に関わる状態情報を、同通信端末を収容する前記通信装置内の通信端末制御装置に通知すると共に、前記通信装置内の通信端末制御装置は、前記通信端末に関わる状態情報を検出すると、この状態情報を前記記憶手段に記憶し、前記第二通信制御装置の運用停止を検出すると、前記記憶手段に記憶中の状態情報を前記第三通信制御装置に通知するようにしたので、この第三通信制御装置側では、第二通信制御装置の運用停止を検出して運用を開始するに際して、通信装置側の状態情報を認識することができるため、通信中の通信端末に関わる通信の強制切断を防止することができる。
【００１７】
また、本発明の通信制御システムは、前記第二通信制御装置が、前記第一通信制御装置の運用停止を検出して、前記通信装置の通信制御に関わる運用を開始する際に、前記通信制御の前記状態情報通知手段から前記状態情報を検出すると、この状態情報を管理すると共に、この状態情報の内、通信中状態の前記通信端末がある場合、同通信端末からの通信切断要求を検出するまで同通信端末に対する通信制御に関わる運用を停止するようにした。
【００１８】
従って、本発明の通信制御システムによれば、前記第一通信制御装置の運用停止を検出して、前記第二通信制御装置が前記通信装置の通信制御に関わる運用を開始する際に、前記通信制御の前記状態情報通知手段から前記状態情報を検出すると、この状態情報を管理すると共に、この状態情報の内、通信中状態の前記通信端末がある場合、同通信端末からの通信切断要求を検出するまで同通信端末に対する通信制御に関わる運用を停止するようにしたので、通信端末の通信中に、前記第一通信制御装置から前記第二通信制御装置に運用が切り替わるに際して、同通信端末の通信を強制的に切断することなく、通信中の通信端末の通信をそのまま維持することができる。
【００１９】
また、本発明の通信制御システムは、前記第三通信制御装置が、前記第二通信制御装置の運用停止を検出して、前記通信装置の通信制御に関わる運用を開始する際に、前記通信制御の前記状態情報通知手段から前記状態情報を検出すると、この状態情報を管理すると共に、この状態情報の内、通信中状態の前記通信端末がある場合、同通信端末からの通信切断要求を検出するまで同通信端末に対する通信制御に関わる運用を停止するようにした。
【００２０】
従って、本発明の通信制御システムによれば、前記第二通信制御装置の運用停止を検出して、前記第三通信制御装置が前記通信装置の通信制御に関わる運用を開始する際に、前記通信制御の前記状態情報通知手段から前記状態情報を検出すると、この状態情報を管理すると共に、この状態情報の内、通信中状態の前記通信端末がある場合、同通信端末からの通信切断要求を検出するまで同通信端末に対する通信制御に関わる運用を停止するようにしたので、通信端末の通信中に、前記第二通信制御装置から前記第三通信制御装置に運用が切り替わるに際して、同通信端末の通信を強制的に切断することなく、通信中の通信端末の通信をそのまま維持することができる。
【００２１】
また、本発明の通信制御システムは、前記第二通信制御装置が、前記第一通信制御装置の運用停止を検出して、前記通信装置の通信制御に関わる運用を開始する際に、前記通信制御の前記状態情報通知手段から前記状態情報を検出すると、この状態情報を管理すると共に、この状態情報の内、前記通信中状態以外の前記通信端末がある場合、同通信端末を切断して通信制御に関わる運用を開始するようにした。
【００２２】
従って、本発明の通信制御システムによれば、前記第一通信制御装置の運用停止を検出して、前記第二通信制御装置が前記通信装置の通信制御に関わる運用を開始する際に、前記通信制御の前記状態情報通知手段から前記状態情報を検出すると、この状態情報を管理すると共に、この状態情報の内、前記通信中状態以外の前記通信端末がある場合、同通信端末を切断して通信制御に関わる運用を開始するようにしたので、前記通信端末の通信中状態以外の通信状態で、前記第一通信制御装置から前記第二通信制御装置に運用が切り替わるに際して、同通信端末を強制的に切断することで、同通信端末が通信不能な状態が無用に長引くことを回避できる。
【００２３】
また、本発明の通信制御システムは、前記第三通信制御装置が、前記第二通信制御装置の運用停止を検出して、前記通信装置の通信制御に関わる運用を開始する際に、前記通信制御の前記状態情報通知手段から前記状態情報を検出すると、この状態情報を管理すると共に、この状態情報の内、前記通信中状態以外の前記通信端末がある場合、同通信端末を切断して通信制御に関わる運用を開始するようにした。
【００２４】
従って、本発明の通信制御システムによれば、前記第二通信制御装置の運用停止を検出して、前記第三通信制御装置が前記通信装置の通信制御に関わる運用を開始する際に、前記通信制御の前記状態情報通知手段から前記状態情報を検出すると、この状態情報を管理すると共に、この状態情報の内、前記通信中状態以外の前記通信端末がある場合、同通信端末を切断して通信制御に関わる運用を開始するようにしたので、前記通信端末の通信中状態以外の通信状態で、前記第二通信制御装置から前記第三通信制御装置に運用が切り替わるに際して、同通信端末を強制的に切断することで、同通信端末が通信不能な状態が無用に長引くことを回避できる。
【００２５】
また、本発明の通信制御システムは、前記運用中の通信制御装置の前記通信状態情報通知手段が、前記通信状態検出手段にて検出された前記通信制御に関わる前記通信装置の通信状態の中で、前記通信装置の通信中状態及び、前記通信制御に関わる運用切替に際して前記通信装置が通信の切断に必要な最小限の通信状態に関わる状態情報を前記通信装置に通知するようにした。
【００２６】
従って、本発明の通信制御システムによれば、前記通信制御に関わる前記通信装置の通信状態の中で、前記通信装置の通信中状態及び、前記通信制御に関わる運用切替に際して前記通信装置が通信の切断に必要な最小限の通信状態に関わる状態情報を前記通信装置に通知するようにしたので、同状態情報を記憶する前記通信装置の前記記憶手段の記憶容量を必要最小限に抑えることができ、さらには、運用切替時に関わる状態情報の伝送時間を大幅に短縮化することができる。
【００２７】
また、本発明の通信制御システムは、前記運用中の通信制御装置の前記通信状態情報通知手段が、前記通信状態検出手段にて前記通信装置内の各通信端末における通信制御の発生を検出すると、この通信制御の発生に関わる各通信端末の状態情報を、同通信端末を収容する前記通信装置に通知し、前記通信端末制御装置は、前記通信状態情報通知手段にて通知された各通信端末の状態情報を前記記憶手段に記憶するようにした。
【００２８】
従って、本発明の通信制御システムによれば、前記運用中の通信制御装置の前記通信状態情報通知手段が、前記通信状態検出手段にて前記通信装置内の各通信端末における通信制御の発生を検出すると、この通信制御の発生に関わる各通信端末の状態情報を、同通信端末を収容する前記通信装置に通知し、前記通信端末制御装置は、前記通信状態情報通知手段にて通知された各通信端末の状態情報を前記記憶手段に記憶するようにしたので、通信端末毎に均一な通信サービスを提供することができる。
【発明の効果】
【００２９】
上記のように構成された本発明の通信制御システムによれば、運用中の第一通信制御装置が、通信制御に関わる前記通信装置の通信状態を検出すると、この通信装置の通信状態に関わる状態情報を前記通信装置に通知すると共に、前記通信装置は、前記運用中の第一通信制御装置からの状態情報を検出すると、この状態情報を記憶手段に記憶し、前記第一通信制御装置の運用停止を検出すると、前記記憶手段に記憶中の状態情報を前記第二通信制御装置に通知するようにしたので、この第二通信制御装置側では、第一通信制御装置の運用停止を検出して運用を開始するに際して、通信装置側の状態情報を認識することができるため、通信中の通信装置に関わる通信の強制切断を防止することができる。
【発明を実施するための最良の形態】
【００３０】
以下、図面に基づいて本発明の実施の形態を示す通信制御システムについて説明する。
【００３１】
図１は本実施の形態を示す通信制御システムの概略構成を示すブロック図である。
【００３２】
図１の通信制御システムにおいて、ＩＰ網１は、インターネット・プロトコルのパケット網であり、所定の地域に対応する複数の拠点Ａ、拠点Ｂ、及び図示しない他の拠点に配置された電話システム、すなわち、複数の拠点２の電話システムに収容される端末、及び、ＩＰ網１に直接収容される後述のＩＰ端末の間の通話路を形成するネットワークである。
【００３３】
マスタＩＰ交換機３は、ＩＰ網１によって形成された通話路を介して接続された端末同士の呼制御を運用する交換機である。スレーブＩＰ交換機４は、マスタＩＰ交換機３の障害又はＩＰ網１とマスタＩＰ交換機３との間の回線の障害等によって、マスタＩＰ交換機３が運用停止に陥った場合に、マスタＩＰ交換機３の代わりにＩＰ網１によって形成された通話路を介して接続された端末同士の呼制御を運用する交換機である。
【００３４】
例えば、ＩＰ網１は日本全体に配設されたパケット網であり、マスタＩＰ交換機３は東京に配置された交換機であり、スレーブＩＰ交換機４は大阪に配置された交換機であり、図１の１つの拠点２は九州地域に配置された電話システムであり、他の１つの拠点２は四国地域に配置された電話システムであり、図示しない拠点は、それぞれ中国地域、関西地域、中部地域、甲信越地域、東海地域、関東地域、東北地域、北海道地域等に配置された電話システムである。
【００３５】
通常は、マスタＩＰ交換機３はＩＰ網１によって通話路が形成される全ての端末の呼制御を運用していると共に、マスタＩＰ交換機３及びスレーブＩＰ交換機４相互に状態を監視している。災害等の原因により東京のマスタＩＰ交換機３が運用停止に陥った場合、又は、ＩＰ網１とマスタＩＰ交換機３との間の回線に障害が発生した場合には、東京のマスタＩＰ交換機３から大阪のスレーブＩＰ交換機４への運用切替が行われるものである。
【００３６】
また、各拠点２において、バックアップＩＰ交換機５は拠点２のＬＡＮ（ローカル・エリア・ネットワーク）に接続され、マスタＩＰ交換機３及びスレーブＩＰ交換機４が共に運用停止に陥った場合に、拠点２の電話システムに収容されている端末の呼制御を運用する交換機である。
【００３７】
また、パケット変換装置（ＰＵ）６は、拠点２のＬＡＮに接続されると共に、複数の内線端末インタフェースである内線端末制御装置（ＬＩＮ）７及び局線トランク（ＣＯＴ）８に接続され、ＩＰパケットとアナログ信号とを相互に変換するものである。
【００３８】
また、内線端末制御装置７には、複数のアナログ電話機である内線端末９が接続されている。また、これらパケット変換装置６及び内線端末制御装置７、局線トランク８によって、拠点２の呼制御を管理する回線制御装置１３を構成するものである。
【００３９】
図１において、マスタＩＰ交換機３及びスレーブＩＰ交換機４の内部には、図示せぬ中央制御装置（ＣＣ）と、各種のデータを記憶するメインメモリ（ＭＭ）とを備えている。中央制御装置は、回線制御装置１３、例えば内線端末制御装置７に収容されている内線端末９の呼状態を検出する呼状態検出部１０１と、回線制御装置１３内部のパケット変換装置６に対して内線端末９の呼状態に対応する呼情報を通知する呼情報通知部１０２とを有している。
【００４０】
また、メインメモリは、内線端末９の呼状態を記憶するＲＡＭ１０３と、例えば局データ、局プログラム及び、呼状態に対応した呼情報を管理するテーブル等を記憶したＲＯＭ１０４とで構成している。
【００４１】
呼状態検出部１０１は、例えば内線端末９の呼状態、例えば「呼出状態」を検出すると、この「呼出状態」の呼状態をＲＡＭ１０３に記憶するものである。
【００４２】
呼情報通知部１０２は、例えば「呼出状態」の呼状態を検出すると、この「呼出状態」の呼状態に対応した呼情報、すなわち「空き・通話中以外」の呼情報をＲＯＭ１０４（図４参照）から読み出し、この読み出した「空き・通話中以外」の呼情報を、同内線端末９を収容接続する回線制御装置１３内のパケット変換装置６に通知するものである。
【００４３】
尚、マスタＩＰ交換機３及びスレーブＩＰ交換機４の中央制御装置及びメインメモリ内部の構成について説明したが、説明の便宜上、拠点２毎のバックアップＩＰ交換機５内部においても同様に中央制御装置及びメインメモリが内蔵されているものとする。
【００４４】
回線制御装置１３内のパケット変換装置６は、マスタＩＰ交換機３内部の呼情報通知部１０２からの呼情報を検出すると、この呼情報を記憶する呼情報メモリ６Ａと、マスタＩＰ交換機３の運用停止を検出すると、呼情報メモリ６Ａに記憶中の呼情報を運用開始のスレーブＩＰ交換機４に通知する呼情報転送部６Ｂとを有している。
【００４５】
また、パケット変換装置６は、スレーブＩＰ交換機４内部の呼情報通知部１０２からの呼情報を検出すると、この呼情報を呼情報メモリ６Ａに記憶し、スレーブＩＰ交換機４の運用停止を検出すると、呼情報転送部６Ｂを通じて呼情報メモリ６Ａに記憶中の呼情報を運用開始のバックアップＩＰ交換機５に通知するものである。尚、呼情報転送部６Ｂは、内線端末９毎に、同内線端末９を収容接続するバックアップＩＰ交換機５に通知するものである。
【００４６】
なお、請求項記載の第一通信制御装置はマスタＩＰ交換機３、第二通信制御装置はスレーブＩＰ交換機４、第三通信制御装置はバックアップＩＰ交換機５、通信状態検出手段は呼状態検出部１０１、通信状態情報通知手段は呼情報通知部１０２及びＲＯＭ１０４、通信装置は回線制御装置１３及び内線端末９、通信端末制御装置はパケット変換装置６及び内線端末制御装置７、記憶手段は呼情報メモリ６Ａ、状態情報通知手段は呼情報転送部６Ｂ、通信端末は内線端末９に相当するものである。
【００４７】
図２は、図１の拠点Ａ、拠点Ｂ、及び図示しない他の拠点におけるパケット変換装置６のメモリエリア２０のデータフォーマットを示す図である。図２に示すように、エリア２０には、パケット変換装置６に接続されている複数の内線端末制御装置７のＬＩＮ番号（ＬＩＮ１〜ＬＩＮ１６）が記憶されている。また、各内線端末制御装置７に対応するエリア２１には、複数のポート番号（ポート１〜ポート８）に対応して、内線端末９の内線番号が登録されている。すなわち、ＬＩＮ番号及びポート番号は内線端末９の収容位置を表し、ＬＩＮ番号及びポート番号によって内線端末９の内線番号が一意に特定される。したがって、マスタＩＰ交換機３、スレーブＩＰ交換機４、及びバックアップＩＰ交換機５は、パケット変換装置６に接続されているＬＩＮ番号及びポート番号を指定するだけで、内線番号を意識することなく収容している特定の内線端末９を指定することができる。
【００４８】
図３はマスタＩＰ交換機３又はスレーブＩＰ交換機４内の呼情報通知部１０２から回線制御装置１３内部のパケット変換装置６に通知する呼情報のデータ構成を示す説明図である。
【００４９】
図３に示す呼情報３０は、図２に示したＬＩＮ番号及びポート番号を記憶する収容位置情報３１と、内線端末９の呼状態に対応した呼情報内容３２とで構成する。
【００５０】
また、図４はマスタＩＰ交換機３及びスレーブＩＰ交換機４内のＲＯＭ１０４の呼情報管理テーブル４０のテーブル内容であり、同呼情報管理テーブル４０は、内線端末９の呼状態４１と、この呼状態に対応した呼情報４２とを管理している。図４に示すように、呼状態４１としては、発呼可能な「空き状態」、他の端末に対して発呼を行っている「呼出状態」、他の端末からの着信を受けている「着信状態」、他の端末と通話している「通話状態」、他の端末との通話が終了して切断の呼制御を待っている「切断待ち状態」、その他の様々な状態、例えば、着信を他の端末に転送する「転送状態」、他の端末への着信に対して代理で応答する「代理応答状態」等を管理している。
【００５１】
しかしながら、回線制御装置１３のパケット変換装置６では、このような多様な呼状態に対応するそれぞれの呼情報を管理して、マスタＩＰ交換機３からスレーブＩＰ交換機４に切り替わる際、又は、スレーブＩＰ交換機４からバックアップＩＰ交換機５に切り替わる際に、新たに運用を開始した交換機に対して記憶した多様な呼状態を示す呼情報を通知するような構成にすると、パケット変換装置６内の呼情報メモリ６Ａの記憶容量が膨大になる上、ＩＰ交換機側の運用切替時における呼情報の転送に多くの時間を要する。
【００５２】
そこで、このような事態に対処すべく、図４の呼情報４２では、全ての呼状態に対して「空き」、「通話中」、「空き・通話中以外」の３種類の呼情報で対応する構成としている。すなわち、呼制御に関わる回線制御装置１３の通信状態の中で、「通話状態」及び、通信制御に関わる運用切替に際して通信切断に必要な最小限の通信状態に関わる３種類の呼情報を回線制御装置１３内のパケット変換装置６に通知し、同パケット変換装置６内の呼情報メモリ６Ａに呼情報を記憶し、新たに運用を開始したＩＰ交換機に対して、呼情報メモリ６Ａに記憶中の３種類の呼情報を通知するものである。
【００５３】
図５は、図１の拠点２の２つの内線端末９同士、例えば、内線端末９Ａと内線端末９Ｂとが通話に至るまでの、マスタＩＰ交換機３、パケット変換装置６の推移を示すシーケンス図である。いま、マスタＩＰ交換機３は運用系で動作し、スレーブＩＰ交換機４は待機系で動作している。すなわち、回線制御装置１３内のパケット変換装置６、内線端末制御装置７、内線端末９Ａ、及び内線端末９Ｂは、マスタＩＰ交換機３の運用によって動作中である。
【００５４】
ここで、内線端末９Ａが発信操作にて内線端末９Ｂの内線番号をダイヤルすると（ステップＳ１００）、内線端末９から内線端末制御装置７にダイヤル情報が送信される（ステップＳ１０１）。このダイヤル情報を受信した内線端末制御装置７は、パケット変換装置６に対して同じくダイヤル情報を送信する（ステップＳ１０２）。このダイヤル情報を受信したパケット変換装置６は、同じくダイヤル情報をマスタＩＰ交換機３に送信する（ステップＳ１０３）。
【００５５】
マスタＩＰ交換機３は、受信したダイヤル情報を解析し、内線端末９Ａから内線端末９Ｂへの接続要求であることを認識すると、内線端末９Ａの呼状態を「空き状態」から「呼出状態」に変更し（ステップＳ１０４）、パケット変換装置６に対してトーン情報（呼出音）を送信する（ステップＳ１０５）。このトーン情報を受信したパケット変換装置６は、内線端末９Ａに対して呼出音、すなわちリング・バック・トーンを送信する（ステップＳ１０６）。
【００５６】
次に、マスタＩＰ交換機３は、トーン情報を送信した後、ステップＳ１０４の「呼出状態」に対応する呼情報、すなわち「空き・通話中以外」の呼情報をＲＯＭ１０４の呼情報管理テーブル４０(図４参照)から読み出し、この内線端末９Ａの「空き・通話中以外」の呼情報をパケット変換装置６に通知する（ステップＳ１０７）。パケット変換装置６は、マスタＩＰ交換機３から通知された内線端末９Ａの「空き・通話中以外」の呼情報を呼情報メモリ６Ａに記憶する（ステップＳ１０８）。
【００５７】
次に、マスタＩＰ交換機３は、内線端末９Ｂの呼状態を「空き状態」から「着信状態」に変更し（ステップＳ１０９）、パケット変換装置６に対して着信情報を送信する（ステップＳ１１０）。この着信情報を受信したパケット変換装置６は、内線端末制御装置７に対して同じく着信情報を送信する（ステップＳ１１１）。この着信情報を受信した内線端末制御装置７は、内線端末９Ｂに対して同じく着信情報を送信する（ステップＳ１１２）。この着信情報を受信した内線端末９Ｂは、着信報知の鳴動を行う（ステップＳ１１３）。
【００５８】
マスタＩＰ交換機３は、着信情報を送信した後、ステップＳ１０９の「着信状態」に対応する呼情報、すなわち「空き・通話中以外」の呼情報をＲＯＭ１０４の呼情報管理テーブル４０(図４参照)から読み出し、この内線端末９Ａの「空き・通話中以外」の呼情報をパケット変換装置６に通知する（ステップＳ１１４）。この呼情報を通知されたパケット変換装置６は、内線端末９Ｂの「空き・通話中以外」の呼情報を呼情報メモリ６Ａに記憶する（ステップＳ１１５）。
【００５９】
着信報知を鳴動中の内線端末９Ｂがオフフック操作により応答すると（ステップＳ１１６）、内線端末制御装置７に対して応答情報を送信する（ステップＳ１１７）。この応答情報を受信した内線端末制御装置７は、パケット変換装置６に対して同じく応答情報を送信する（ステップＳ１１７）。この応答情報を受信したパケット変換装置６は、マスタＩＰ交換機３に対して同じく応答情報を送信する（ステップＳ１１９）。
【００６０】
この応答情報を受信したマスタＩＰ交換機３は、内線端末９Ａの呼状態を「呼出状態」から「通話状態」に変更すると共に（ステップＳ１２０）、内線端末９Ｂの呼状態を「着信状態」から「通話状態」に変更する（ステップＳ１２１）。さらに、マスタＩＰ交換機３は、内線端末９Ａと内線端末９Ｂとの間の通話路がパケット変換装置６で形成されるように、パケット変換装置６に対して内線端末９Ａに関する通話情報を送信し（ステップＳ１２２）、内線端末９Ｂに関する通話情報を送信する（ステップＳ１２３）。
【００６１】
これらの通話情報を受信したパケット変換装置６は、内線端末９Ａと内線端末９Ｂとの間の通話路を形成する（ステップＳ１２４）。これにより、内線端末９Ａと内線端末９Ｂとの間で通話が開始される。この通話中においては、パケット変換装置６は、内線端末９Ａ及び内線端末９Ｂの状態を監視するものの、切断要求があるまでは、内線端末９Ａ及び内線端末９Ｂに対する呼制御に関わる運用は停止することになる。
【００６２】
マスタＩＰ交換機３は、内線端末９Ａと内線端末９Ｂとの間で通話が開始すると、ステップＳ１２０の「通話状態」に対応する呼情報、すなわち「通話中」の呼情報をＲＯＭ１０４の呼情報管理テーブル４０（図４参照）から読み出し、この内線端末９Ａの「通話中」の呼情報をパケット変換装置６に通知する（ステップＳ１２５）。この呼情報が通知されたパケット変換装置６は、内線端末９Ａの「通話中」の呼情報を呼情報メモリ６Ａに記憶する（ステップＳ１２６）。
【００６３】
また、マスタＩＰ交換機３は、ステップＳ１２１の「通話状態」に対応する呼情報、すなわち「通話中」の呼情報をＲＯＭ１０４の呼情報管理テーブル４０（図４参照）から読み出し、この内線端末９Ｂの「通話中」の呼情報をパケット変換装置６に通知する（ステップＳ１２７）。この呼情報が通知されたパケット変換装置６は、内線端末９Ｂの「通話中」の呼情報を呼情報メモリ６Ａに記憶する（ステップＳ１２８）。
【００６４】
従って、図５に示す動作シーケンスによれば、マスタＩＰ交換機３側が呼状態検出部１０１を通じて内線端末９Ａ及び内線端末９Ｂの呼状態を検出すると、呼情報通知部１０２を通じて同内線端末９Ａ及び内線端末９Ｂの呼状態に対応した呼情報を呼情報管理テーブル４０から読み出し、この読み出した内線端末９Ａ及び内線端末９Ｂの呼情報を同内線端末９Ａ及び内線端末９Ｂを収容接続する回線制御装置１３内のパケット変換装置６に通知すると共に、このパケット変換装置６側で内線端末９Ａ及び内線端末９Ｂの呼情報を検出すると、これら内線端末９Ａ及び内線端末９Ｂの呼情報を呼情報メモリ６Ａに記憶するようにしたので、このスレーブＩＰ交換機４側では、例えばマスタＩＰ交換機３の運用停止を検出して運用を開始するに際して、内線端末９側の呼情報を認識することができるため、例えば通話中の内線端末９に関わる通話の強制切断を防止することができる。
【００６５】
図６は、図１の拠点２の２つの内線端末９同士、例えば、内線端末９Ａと内線端末９Ｂとが通話中に、マスタＩＰ交換機３の故障等でスレーブＩＰ交換機４に切り替わる場合の推移を示すシーケンス図である。いま、マスタＩＰ交換機３は運用系で動作し、スレーブＩＰ交換機４は待機系で動作している。すなわち、回線制御装置１３内のパケット変換装置６、内線端末制御装置７、内線端末９Ａ、及び内線端末９Ｂは、マスタＩＰ交換機３の運用によって動作中である。
【００６６】
パケット変換装置６が内線端末９Ａと内線端末９Ｂとの間に通話路を形成し、内線端末９Ａと内線端末９Ｂとが通話中の場合に、マスタＩＰ交換機３は、内線端末９Ａが「通話状態」に対応する呼情報、すなわち「通話中」の呼情報をＲＯＭ１０４の呼情報管理テーブル４０（図４参照）から読み出し、この内線端末９Ａの「通話中」の呼情報をパケット変換装置６に通知する（ステップＳ２００）。この呼情報を通知されたパケット変換装置６は、内線端末９Ａの「通話中」の呼情報を呼情報メモリ６Ａに記憶する（ステップＳ２０１）。
【００６７】
次に、マスタＩＰ交換機３は、内線端末９Ｂが「通話状態」に対応する呼情報、すなわち「通話中」の呼情報をＲＯＭ１０４の呼情報管理テーブル４０（図４参照）から読み出し、この内線端末９Ｂの「通話中」の呼情報をパケット変換装置６に通知する（ステップＳ２０２）。この呼情報を通知されたパケット変換装置６は、内線端末９Ｂの「通話中」の呼情報を呼情報メモリ６Ａに記憶する（ステップＳ２０３）。
【００６８】
ここでマスタＩＰ交換機３に故障が発生すると（ステップＳ２０４）、スレーブＩＰ交換機４が待機系から運用系に切り替わる（ステップＳ２０５）。この結果、回線制御装置１３内のパケット変換装置６、内線端末制御装置７、内線端末９Ａ、及び内線端末９Ｂは、マスタＩＰ交換機３の運用によって動作中である状態から、スレーブＩＰ交換機４の運用によって動作中の状態に切り替わる（ステップＳ２０６）。
【００６９】
次に、パケット変換装置６の呼情報転送部６Ｂは、内線端末９Ａの「通話中」の呼情報及び内線端末９Ｂの「通話中」の呼情報を呼情報メモリ６Ａから読み出し、これら「通話中」の呼情報を運用開始のスレーブＩＰ交換機４に通知する（ステップＳ２０７）。これら呼情報を通知されたスレーブＩＰ交換機４は、内線端末９Ａの呼状態を「通話状態」に設定し（ステップＳ２０８）、内線端末９Ｂの呼状態を「通話状態」に設定する（ステップＳ２０９）。
【００７０】
次に、内線端末９Ａは、オンフック操作により切断すると（ステップＳ２１０）、内線端末制御装置７に対して切断情報を送信する（ステップＳ２１１）。この切断情報を受信した内線端末制御装置７は、パケット変換装置６に対して同じく切断情報を送信する（ステップＳ２１２）。この切断情報を受信したパケット変換装置６は、スレーブＩＰ交換機４に対して同じく切断情報を送信する（ステップＳ２１３）。この切断情報を受信したスレーブＩＰ交換機４は、内線端末９Ａの呼状態を「通話状態」から「空き状態」に変更する（ステップＳ２１４）。
【００７１】
次に、スレーブＩＰ交換機４は、パケット変換装置６に対して通話路を解放させるよう指示するために通話終了情報を送信し（ステップＳ２１５）、さらに、ステップＳ２１４にて「空き状態」に対応する呼情報、すなわち「空き」の呼情報をＲＯＭ１０４の呼情報管理テーブル４０（図４参照）から読み出し、この内線端末９Ａの「空き」の呼情報をパケット変換装置６に通知する（ステップＳ２１６）。この呼情報を通知されたパケット変換装置６は、内線端末９Ａの「空き」の呼情報を呼情報メモリ６Ａに記憶する（ステップＳ２１７）。
【００７２】
次に、内線端末９Ｂは、オンフック操作により切断すると（ステップＳ２１８）、内線端末制御装置７に対して切断情報を送信する（ステップＳ２１９）。この切断情報を受信した内線端末制御装置７は、パケット変換装置６に対して同じく切断情報を送信する（ステップＳ２２０）。この切断情報を受信したパケット変換装置６は、スレーブＩＰ交換機４に対して同じく切断情報を送信する（ステップＳ２２１）。この切断情報を受信したスレーブＩＰ交換機４は、内線端末９Ｂの呼状態を「通話状態」から「空き状態」に変更する（ステップＳ２２２）。
【００７３】
次に、スレーブＩＰ交換機４は、パケット変換装置６に対して通話路を解放させるよう指示するために通話終了情報を送信し（ステップＳ２２３）、さらに、ステップＳ２２２にて「空き状態」に対応する呼情報、すなわち「空き」の呼情報をＲＯＭ１０４の呼情報管理テーブル４０（図４参照）から読み出し、この内線端末９Ｂの「空き」の呼情報をパケット変換装置６に通知する（ステップＳ２２４）。この呼情報を通知されたパケット変換装置６は、内線端末９Ｂの「空き」の呼情報を呼情報メモリ６Ａに記憶する（ステップＳ２２５）。
【００７４】
図６に示す動作シーケンスによれば、内線端末９Ａ及び内線端末９Ｂ間の通話中に、マスタＩＰ交換機３が故障してスレーブＩＰ交換機４への運用を開始するに際して、同内線端末９Ａ及び内線端末９Ｂを収容接続する回線制御装置１３内のパケット変換装置６内の呼情報メモリ６Ａに記憶中の内線端末９Ａ及び内線端末９Ｂの「通話中」の呼情報を運用開始のスレーブＩＰ交換機４に通知すると共に、スレーブＩＰ交換機４では、内線端末９Ａ及び内線端末９Ｂの呼情報が「通話中」の呼情報であることから、切断要求があるまでは、内線端末９Ａ及び内線端末９Ｂに対する呼制御の運用を停止するようにしたので、スレーブＩＰ交換機４は、内線端末９Ａ及び内線端末９Ｂ間の通話中にマスタＩＰ交換機３が故障したとしても、内線端末９Ａ及び内線端末９Ｂ間の通話を保持することができる。
【００７５】
図７は、内線端末９Ａが内線端末９Ｂを呼び出しているときに、マスタＩＰ交換機３の故障によりスレーブＩＰ交換機４に切り替わる場合の推移を示すシーケンス図である。いま、マスタＩＰ交換機３は運用系で動作し、スレーブＩＰ交換機４は待機系で動作している。すなわち、回線制御装置１３内のパケット変換装置６、内線端末制御装置７、内線端末９Ａ、及び内線端末９Ｂは、マスタＩＰ交換機３の運用によって動作中である。
【００７６】
ここで、内線端末９Ａは、発信操作に応じて内線端末９Ｂの内線番号をダイヤルすると（ステップＳ３００）、内線端末制御装置７に対してダイヤル情報を送信する（ステップＳ３０１）。このダイヤル情報を受信した内線端末制御装置７は、パケット変換装置６に対して同じくダイヤル情報を送信する（ステップＳ３０２）。このダイヤル情報を受信したパケット変換装置６は、同じくダイヤル情報をマスタＩＰ交換機３に送信する（ステップＳ３０３）。
【００７７】
このダイヤル情報を受信したマスタＩＰ交換機３は、内線端末９Ａの呼状態を「空き状態」から「呼出状態」に変更し（ステップＳ３０４）、パケット変換装置６に対してトーン情報（呼出音）を送信する（ステップＳ３０５）。このトーン情報を受信したパケット変換装置６は、内線端末９Ａに対して呼出音、すなわちリング・バック・トーンを送信する（ステップＳ３０６）。
【００７８】
マスタＩＰ交換機３は、トーン情報を送信した後に、ステップＳ３０４にて「呼出状態」に対応する呼情報、すなわち「空き・通話中以外」の呼情報をＲＯＭ１０４の呼情報管理テーブル４０（図４参照）から読み出し、この内線端末９Ａの「空き・通話中以外」の呼情報をパケット変換装置６に通知する（ステップＳ３０７）。この呼情報を通知されたパケット変換装置６は、内線端末９Ａの「空き・通話中以外」の呼情報を呼情報メモリ６Ａに記憶する（ステップＳ３０８）。
【００７９】
次に、マスタＩＰ交換機３は、内線端末９Ｂの呼状態を「空き状態」から「着信状態」に変更し（ステップＳ３０９）、パケット変換装置６に対して着信情報を送信する（ステップＳ３１０）。この着信情報を受信したパケット変換装置６は、内線端末制御装置７に対して同じく着信情報を送信する（ステップＳ３１１）。この着信情報を受信した内線端末制御装置７は、内線端末９Ｂに対して同じく着信情報を送信する（ステップＳ３１２）。この着信情報を受信した内線端末９Ｂは、着信報知の鳴動を行う（ステップＳ３１３）。
【００８０】
マスタＩＰ交換機３は、着信情報を送信した後、ステップＳ３０９にて「着信状態」に対応する呼情報、すなわち「空き・通話中以外」の呼情報をＲＯＭ１０４の呼情報管理テーブル４０（図４参照）から読み出し、この内線端末９Ｂの「空き・通話中以外」の呼情報をパケット変換装置６に通知する（ステップＳ３１４）。この呼情報を通知されたパケット変換装置６は、内線端末９Ｂの「空き・通話中以外」の呼情報を呼情報メモリ６Ａに記憶する（ステップＳ３１５）。
【００８１】
ここで、マスタＩＰ交換機３に故障が発生すると（ステップＳ３１６）、スレーブＩＰ交換機４が待機系から運用系に切り替わる（ステップＳ３１７）。この結果、回線制御装置１３内のパケット変換装置６、内線端末制御装置７、内線端末９Ａ、及び内線端末９Ｂは、マスタＩＰ交換機３の運用によって動作中である状態から、スレーブＩＰ交換機４の運用によって動作中の状態に切り替わる（ステップＳ３１８）。
【００８２】
次に、パケット変換装置６の呼情報転送部６Ｂは、内線端末９Ａの「空き・通話中以外」の呼情報を呼情報メモリ６Ａから読み出し、この内線端末９Ａの「空き・通話中以外」の呼情報を運用開始のスレーブＩＰ交換機４に通知する（ステップＳ３１９）。この呼情報を通知されたスレーブＩＰ交換機４は、内線端末９Ａが「空き・通話中以外」の呼情報であることから、内線端末９Ａに対応する呼状態を「切断待ち状態」に変更する（ステップＳ３２０）。
【００８３】
次に、スレーブＩＰ交換機４は、パケット変換装置６に対して規制音のトーン情報を送信する（ステップＳ３２１）。このトーン情報を受信したパケット変換装置６は、内線端末９Ａに対して切断を促すための規制音を送信する（ステップＳ３２２）。すなわち、内線端末９Ａを強制的に切断する処理を行う。
【００８４】
スレーブＩＰ交換機４は、トーン情報を送信した後、内線端末９Ｂの呼状態を「空き状態」に設定して（ステップＳ３２３）、パケット変換装置６に対して着信信号停止指令を送信する（ステップＳ３２４）。この着信信号停止指令を受信したパケット変換装置６は、内線端末制御装置７に対して同じく着信信号停止指令を送信する（ステップＳ３２５）。この着信信号停止指令を受信した内線端末制御装置７は、内線端末９Ｂに対して同じく着信信号停止指令を送信する（ステップＳ３２６）。この着信信号停止指令を受信した内線端末９Ｂは、着信報知の鳴動を停止する（ステップＳ３２７）。
【００８５】
スレーブＩＰ交換機４は、着信信号停止指令を送信した後、ステップＳ３２３にて「空き状態」に対応する呼情報、すなわち「空き」の呼情報をＲＯＭ１０４の呼情報管理テーブル４０（図４参照）から読み出し、この内線端末９Ｂの「空き」の呼情報をパケット変換装置６に通知する（ステップＳ３２８）。この呼情報を通知されたパケット変換装置６は、内線端末９Ｂの「空き」の呼情報を呼情報メモリ６Ａに記憶する（ステップＳ３２９）。
【００８６】
図７に示す動作シーケンスによれば、例えば内線端末９Ａから内線端末９Ｂへの着信中に、マスタＩＰ交換機３が故障してスレーブＩＰ交換機４への運用を開始するに際して、同内線端末９Ａ及び内線端末９Ｂを収容接続する回線制御装置１３内のパケット変換装置６内の呼情報メモリ６Ａに記憶中の内線端末９Ａ及び内線端末９Ｂの「空き・通話中以外」の呼情報を運用開始のスレーブＩＰ交換機４に通知すると共に、スレーブＩＰ交換機４では、内線端末９Ａ及び内線端末９Ｂの呼情報が「空き・通話中以外」、すなわち「通話中」以外の呼情報であることから、内線端末９Ａ及び内線端末９Ｂの呼制御の運用を開始して呼切断するようにしたので、その内線端末９Ａ及び内線端末９Ｂを強制的に切断することで、通話中以外の内線端末９Ａ及び内線端末９Ｂが通信不能な状態が無用に長引くことを回避できる。
【００８７】
尚、上記実施の形態においては、マスタＩＰ交換機３の故障による運用停止に応じてスレーブＩＰ交換機４の運用を開始する場合を例に挙げて説明したが、例えばスレーブＩＰ交換機４の故障による運用停止に応じてバックアップＩＰ交換機５の運用を開始する場合であっても同様の効果が得られることは言うまでもなく、例えばパケット変換装置６の呼情報転送部６Ｂでは、スレーブＩＰ交換機４の故障等の運用停止を検出すると、呼情報メモリ６Ａから呼情報を読み出し、この読み出した呼情報をバックアップＩＰ交換機５に通知すると共に、バックアップＩＰ交換機５は、呼情報転送部６Ｂからの内線端末９の呼情報に基づき、内線端末制御装置７に収容されている内線端末９同士が通話中であるとき、その内線端末９から切断要求があるまでは、その内線端末９に対する呼制御に関わる運用を停止して、内線端末９同士の通話を維持できることは言うまでもない。
【００８８】
さらに、バックアップＩＰ交換機５は、呼情報転送部６Ｂからの内線端末９の呼情報に基づき、内線端末制御装置７に収容されている内線端末９同士が通話中以外、すなわち「空き」又は「空き・通話中以外」の呼情報である場合、内線端末制御装置７に収容されている内線端末９を強制的に切断するものである。
【００８９】
従って、本実施の形態によれば、運用中のマスタＩＰ交換機３が、呼制御に関わる内線端末９の呼状態を検出すると、この内線端末９の呼状態に関わる呼情報を同内線端末９の回線制御装置１３内のパケット変換装置６に通知すると共に、パケット変換装置６は、マスタＩＰ交換機３からの呼情報を検出すると、この呼情報を呼情報メモリ６Ａに記憶し、マスタＩＰ交換機３の運用停止を検出すると、呼情報メモリ６Ａに記憶中の呼情報を運用開始のスレーブＩＰ交換機４に通知するようにしたので、このスレーブＩＰ交換機４側では、マスタＩＰ交換機の運用停止を検出して運用を開始するに際して、内線端末９側の呼情報を認識することができるため、通話中の内線端末９に関わる通話の強制切断を防止することができる。
【００９０】
本実施の形態によれば、スレーブＩＰ交換機４の運用停止を検出すると、この運用停止にかかわらず通信可能な内線端末９の呼制御に関わる運用を開始するバックアップＩＰ交換機５を備え、同内線端末９を収容接続する回線制御装置１３内のパケット変換装置６は、スレーブＩＰ交換機４の運用停止を検出すると、呼情報メモリ６Ａに記憶中の呼情報を運用開始のバックアップＩＰ交換機５に通知するようにしたので、マスタＩＰ交換機３及びスレーブＩＰ交換機４が運用停止に陥った場合でも、バックアップＩＰ交換機５を通じて、全ての内線端末９が通信不能になる事態を回避することができる。
【００９１】
本実施の形態によれば、運用中のスレーブＩＰ交換機４が、呼制御に関わる内線端末９の呼状態を検出すると、この内線端末９の呼状態に関わる呼情報を、同内線端末９を収容接続する回線制御装置１３内のパケット変換装置６に通知すると共に、パケット変換装置６は、同内線端末９に関わる呼情報を検出すると、この呼情報を呼情報メモリ６Ａに記憶し、スレーブＩＰ交換機４の運用停止を検出すると、呼情報メモリ６Ａに記憶中の呼情報を運用開始のバックアップＩＰ交換機５に通知するようにしたので、このバックアップＩＰ交換機５側では、スレーブＩＰ交換機４の運用停止を検出して運用を開始するに際して、内線端末９側の呼情報を認識することができるため、通話中の内線端末９に関わる通話の強制切断を防止することができる。
【００９２】
また、本実施の形態によれば、マスタＩＰ交換機３の運用停止を検出して、スレーブＩＰ交換機４が内線端末９の呼制御に関わる運用を開始する際に、同内線端末９を収容接続する回線制御装置１３内のパケット変換装置６の呼情報メモリ６から同内線端末９の呼情報を検出し、同内線端末９の呼情報が「通話中」の場合、同内線端末９からの通信切断要求を検出するまで同内線端末９に対する呼制御に関わる運用を停止するようにしたので、内線端末９の通話中に、マスタＩＰ交換機３からスレーブＩＰ交換機４に運用が切り替わるに際して、同内線端末９の通話を強制的に切断することなく、通話中の内線端末９の通話をそのまま維持することができる。
【００９３】
また、本実施の形態によれば、スレーブＩＰ交換機４の運用停止を検出して、バックアップＩＰ交換機５が内線端末９の呼制御に関わる運用を開始する際に、同内線端末９を収容接続する回線制御装置１３内のパケット変換装置６の呼情報メモリ６から同内線端末９の呼情報を検出し、同内線端末９の呼情報が「通話中」の場合、同内線端末９からの通信切断要求を検出するまで同内線端末９に対する呼制御に関わる運用を停止するようにしたので、内線端末９の通話中に、スレーブＩＰ交換機４からバックアップＩＰ交換機５に運用が切り替わるに際して、同内線端末９の通話を強制的に切断することなく、通話中の内線端末９の通話をそのまま維持することができる。
【００９４】
また、本実施の形態によれば、マスタＩＰ交換機３の運用停止を検出して、スレーブＩＰ交換機４が内線端末９の呼制御に関わる運用を開始する際に、同内線端末９を収容接続する回線制御装置１３内のパケット変換装置６の呼情報メモリ６から同内線端末９の呼情報を検出し、同内線端末９の呼情報が「通話中」以外の「空き」又は「空き・通話中以外」の場合、同内線端末９を切断して呼制御に関わる運用を開始するようにしたので、内線端末９の通話中以外の通信状態で、マスタＩＰ交換機３からスレーブＩＰ交換機４に運用が切り替わるに際して、同内線端末９を強制的に切断することで、同内線端末９が通信不能な状態が無用に長引くことを回避できる。
【００９５】
また、本実施の形態によれば、スレーブＩＰ交換機４の運用停止を検出して、バックアップＩＰ交換機５が内線端末９の呼制御に関わる運用を開始する際に、同内線端末９を収容接続する回線制御装置１３内のパケット変換装置６の呼情報メモリ６から同内線端末９の呼情報を検出し、同内線端末９の呼情報が「通話中」以外の「空き」又は「空き・通話中以外」の場合、同内線端末９を切断して呼制御に関わる運用を開始するようにしたので、内線端末９の通話中以外の通信状態で、スレーブＩＰ交換機４からバックアップＩＰ交換機５に運用が切り替わるに際して、同内線端末９を強制的に切断することで、同内線端末９が通信不能な状態が無用に長引くことを回避できる。
【００９６】
また、本実施の形態によれば、呼制御に関わる内線端末９の呼状態の中で、「通話状態」及び、呼制御に関わる運用切替に際して内線端末９が通信の切断に必要な最小限の通信状態に関わる呼情報、すなわち「通話中」、「空き」及び「空き・通話中以外」の呼情報の種類を３種類にしたので、同呼情報を記憶するパケット変換装置６の呼情報メモリ６Ａの記憶容量を必要最小限に抑えることができ、さらには、運用切替時に関わる呼情報の伝送時間を大幅に短縮化することができる。
【００９７】
また、本実施の形態によれば、運用中のＩＰ交換機の呼情報通知部１０２が、呼状態検出部１０１を通じて内線端末９における呼制御の発生を検出すると、この呼制御の発生に関わる各内線端末９の呼情報を、同内線端末９を収容する回線制御装置１３のパケット変換装置６に通知し、パケット変換装置６は、内線端末９の呼情報を呼情報メモリ６Ａに記憶するようにしたので、内線端末９毎に均一な通信サービスを提供することができる。
【００９８】
尚、上記実施の形態においては、図５、図６及び図７に示すように、同一拠点内の回線制御装置６に収容接続する内線端末９、例えば内線端末９Ａ及び内線端末９Ｂ同士の呼接続を例に挙げて説明したが、内線端末９Ａと、異なる拠点２の内線端末９Ｃとの呼接続の場合、例えばマスタＩＰ交換機３の呼情報通知部１０２は、内線端末９Ａの呼情報を、同内線端末９Ａを収容接続する回線制御装置１３内のパケット変換装置６に通知し、内線端末９Ｃの呼情報を、同内線端末９Ｃを収容接続する回線制御装置１３内のパケット変換装置６に通知すると共に、例えばマスタＩＰ交換機３からスレーブＩＰ交換機４への運用を開始するに際して、内線端末９Ａを収容接続する回線制御装置１３内の呼情報転送部６Ｂから内線端末９Ａの呼情報をスレーブＩＰ交換機４に通知し、内線端末９Ｃを収容接続する回線制御装置１３内の呼情報転送部６Ｂから内線端末９Ｃの呼情報をスレーブＩＰ交換機４に通知することで、同様の効果が得られることは言うまでもない。
【００９９】
また、上記実施の形態においては、内線端末９を収容接続する回線制御装置１３内のパケット変換装置６内に呼情報メモリ６Ａ及び呼情報転送部６Ｂを内蔵し、アナログの内線端末９を例に挙げて説明したが、例えばＩＰ網１にダイレクトに接続するＩＰ端末１４の場合、図示せぬが、呼情報メモリ及び呼情報転送部をＩＰ端末１４内部に保持し、運用中のマスタＩＰ交換機３又はスレーブＩＰ交換機４がＩＰ端末１４の呼状態を検出すると、この呼状態に対応する呼情報をＩＰ端末１４に通知すると共に、ＩＰ端末１４は、運用中のＩＰ交換機からＩＰ端末１４の呼状態を検出すると、同呼情報を呼情報メモリに記憶し、例えばマスタＩＰ交換機３からスレーブＩＰ交換機４への運用を開始するに際して、ＩＰ端末１４内の呼情報メモリに記憶中の呼情報を、呼情報転送部を通じてスレーブＩＰ交換機４に通知するようにしたので、ＩＰ端末１４の場合でも、同様の効果が得られることは言うまでもない。
【０１００】
また、上記実施の形態においては、局線トランク８及びＰＳＴＮ１６を通じて回線制御装置１３に収容接続する外線端末１５の呼制御の場合、例えばマスタＩＰ交換機３の呼情報通知部１０２は、外線端末１５の呼情報を、同外線端末１５の局線トランク８を収容接続する回線制御装置１３内のパケット変換装置６に通知し、例えばマスタＩＰ交換機３からスレーブＩＰ交換機４への運用を開始するに際して、外線端末１５の局線トランク８を収容接続する回線制御装置１３内の呼情報転送部６Ｂから外線端末１５の呼情報をスレーブＩＰ交換機４に通知すると共に、外線端末１５の局線トランク８を収容接続する回線制御装置１３内の呼情報転送部６Ｂから外線端末１５の呼情報をスレーブＩＰ交換機４に通知することで、同様の効果が得られることは言うまでもない。
【０１０１】
さらに、上記実施の形態においては、例えば運用中のマスタＩＰ交換機３にて内線端末９の呼状態を検出すると、この呼状態に対応した呼情報を回線制御装置１３内のパケット変換装置６内の呼情報メモリ６Ａに記憶し、例えば運用中のマスタＩＰ３の運用停止を検出すると、呼情報メモリ６Ａに記憶中の呼情報を運用開始のスレーブＩＰ交換機４に通知するようにしたが、例えば内線端末９等の電話機の音声通信に限定されるものではなく、例えばパソコン等のデータ通信にも適用可能であることは言うまでもない。
【産業上の利用可能性】
【０１０２】
本発明の通信制御システムによれば、運用中の第一通信制御装置が、通信制御に関わる前記通信装置の通信状態を検出すると、この通信装置の通信状態に関わる状態情報を前記通信装置に通知すると共に、前記通信装置は、前記運用中の第一通信制御装置からの状態情報を検出すると、この状態情報を記憶手段に記憶し、前記第一通信制御装置の運用停止を検出すると、前記記憶手段に記憶中の状態情報を前記第二通信制御装置に通知するようにしたので、この第二通信制御装置側では、第一通信制御装置の運用停止を検出して運用を開始するに際して、通信装置側の状態情報を認識することができるため、通信中の通信装置に関わる通信の強制切断を防止することができるため、例えば複数の拠点に対して呼制御を運用するマスタＩＰ交換機およびスレーブＩＰ交換機を有する通信制御システムに有用である。
【図面の簡単な説明】
【０１０３】
【図１】本発明に関わる実施の形態を示す通信制御システムの概略構成を示すブロック図である。
【図２】図１の各拠点におけるパケット変換装置のメモリのデータフォーマットを示す図である。
【図３】図１のマスタＩＰ交換機及びスレーブＩＰ交換機内のメモリに記憶される内線端末の呼情報を示す図である。
【図４】図１のマスタＩＰ交換機及びスレーブＩＰ交換機内のメモリに記憶される内線端末の呼情報を決定するための呼状態の制御データを示す図である。
【図５】図１の拠点の２つの内線端末同士が通話に至るまでの推移を示すシーケンス図である。
【図６】２つの内線端末同士が通話中にマスタＩＰ交換機の故障によってスレーブＩＰ交換機に切り替わる場合の推移を示すシーケンス図である。
【図７】内線端末が他の内線端末を呼び出しているときに、マスタＩＰ交換機の故障によりスレーブＩＰ交換機に切り替わる場合の推移を示すシーケンス図である。
【符号の説明】
【０１０４】
３  マスタＩＰ交換機(第一通信制御装置)
４  スレーブＩＰ交換機(第二通信制御装置)
５  バックアップＩＰ交換機(第三通信制御装置)
６  パケット変換装置(通信装置)
６Ａ  呼情報メモリ（記憶手段）
６Ｂ  呼情報転送部（状態情報通知手段）
７  内線端末制御装置(通信装置及び通信端末制御装置)
９  内線端末(通信端末)
１３  回線制御装置(通信装置)
１４  ＩＰ端末(通信装置)
１５  外線端末(通信装置)
１０１  呼状態検出部(通信状態検出手段)
１０２  呼情報通知部(通信状態情報通知手段)
１０４  ＲＯＭ(通信状態情報通知手段)
【図１】
2008245077.tif 000003
【図２】
2008245077.tif 000004
【図３】
2008245077.tif 000005
【図４】
2008245077.tif 000006
【図５】
2008245077.tif 000007
【図６】
2008245077.tif 000008
【図７】
2008245077.tif 000009